(57)【要約】【課題】足場板の側縁に隙間を生じさせず、作業安全性の高い足場用幅木を提供する。【解決手段】幅木本体２の両端側面２ａの下端部に足場板Ｂの係止クランプＢａに係止させる逆Ｕ字形状の係止金具３を回動自在に軸着すると共に、幅木本体２の両端側面２ａの上端部には建枠Ａの脚柱Ａｂを挟持させる挟持金具４を取り付ける。そして、幅木１の取り付け時には幅木本体２の逆Ｕ字形状の係止金具３を足場板Ｂの係止クランプＢａに係止させ、幅木本体２の下端縁が足場板Ｂ上面に当接するようにして幅木本体２を立設させ、その上端部を挟持金具４にて建枠Ａの脚柱Ａｂを挟持させて固定する。【選択図】  図４
2004346571.tif 000002
【特許請求の範囲】
【請求項１】
建枠及び足場板を組み上げてなる仮設用足場の足場板の周囲に取り付ける足場用幅木であって、幅木本体の両端側面の下端部に足場板の係止クランプに係止させる逆Ｕ字形状の係止金具を回動自在に軸着すると共に、幅木本体の両端側面の上端部に建枠の脚柱を挟持する挟持金具を取り付けたことを特徴とする足場用幅木。
【発明の詳細な説明】
【０００１】
【発明の属する技術分野】
本発明は、仮設用足場の足場板の周囲に取り付けて作業安全を確保する足場用幅木に関する。
【０００２】
【従来の技術】
従来より、建枠及び足場板を組み上げて構築する仮設用足場の足場板の周囲には、作業者の墜落防止などの作業安全を確保するために足場用の幅木が取り付けられている。前記幅木としては、例えば、実公平５−２８２７８号公報に示されるように、幅木本体の両端部に略Ｕ字形状の係止金具を備え、この係止金具を建枠の脚柱へ係止固定するようにしたものがある。
【０００３】
【発明が解決しようとする課題】
しかしながら、実公平５−２８２７８号公報に示される従来の幅木では、幅木本体を建枠の脚柱にのみ取り付ける構成としているため、どうしても足場板の側縁には隙間が生じる。そして、何かの拍子で足場板が横へずれ動いて建枠の一方側へと偏ってしまった場合などには、その隙間が大きくなって作業安全が十分に確保できないおそれがある。
【０００４】
本発明は上記の点に鑑み、足場板の側縁に隙間を生じさせず、作業安全性の高い足場用幅木を提供することを課題とする。
【０００５】
【課題を解決するための手段】
上記の課題を解決するために、本発明の足場用幅木にあっては、幅木本体の両端側面の下端部に足場板の係止クランプに係止させる逆Ｕ字形状の係止金具を回動自在に軸着すると共に、幅木本体の両端側面の上端部に建枠の脚柱を挟持する挟持金具を取り付けたことを特徴としている。
【０００６】
【発明の実施の形態】
本発明に係わる足場用幅木によれば、幅木の下端部を足場板の係止クランプに係止して幅木と足場板とを一体化するものであり、幅木を取り付ける場合には、先ず、幅木本体の両端側面の下端部に軸着した逆Ｕ字形状の係止金具を、足場板の係止クランプへ上方から差し込んで係止させ、幅木本体の下端縁が足場板上面と近接または当接するように載置する。次に、固定した係止金具を支点に幅木本体を建枠の脚柱側へ回動させ、幅木本体の上端縁が脚柱と近接または当接するまで傾倒させ、幅木本体の両端側面の上端部に取り付けた挟持金具にて脚柱を挟持して取り付け完了となる。
【０００７】
このように、幅木の下端部を足場板の係止クランプに係止させて足場板の側縁に立設しているので、従来のように足場板の側縁に隙間が生じることもなく、また何かの拍子で足場板が左右にずれ動いたとしても足場と幅木が一体となって動くので隙間を生ずることはなく、作業の安全性が確保される。
【０００８】
【実施例】
以下、本発明の実施例を図面に基づいて説明する。
【０００９】
図１及び図２は建築現場などで複数の建枠Ａを所定間隔にて立設し、隣接する建枠Ａの横架材Ａａ間に足場板Ｂを、また建枠Ａの脚柱Ａｂ間に筋交いＣを掛け止めてなる仮設用足場を示しており、前記足場板Ｂの周囲には本発明の足場用幅木１を取り付けている。前記幅木１は、足場板Ｂと略同一長さの軽量溝形鋼部材からなる幅木本体２を主体とし、該幅木本体２の両端側面２ａの下端部にそれぞれ足場板Ｂの係止クランプＢａ上へ係止させる係止金具３を備えていると共に、幅木本体２の両端側面２ａの上端部にはそれぞれ建枠Ａの脚柱Ａｂを挟持させる挟持金具４を備えている。
【００１０】
図３及び図４は要部拡大図であって、前記係止金具３は、所定幅のスリット５を有する逆Ｕ字形状の板状金具であり、幅木本体２の両端側面２ａと平行に配置し、上端部を軸体６にて幅木本体２の両端側面２ａに回動自在に軸着している。また、前記スリット５は足場板Ｂの係止クランプＢａに嵌め入れる幅を有しており、図４に示すように、スリット５を係止クランプＢａの基端部へ上方から差し込んで係止できるようにしている。そして、係止金具３を係止固定すれば、図４に示すように、幅木本体２は軸体６を支点として脚柱Ａｂ側に回動できるようになる。
【００１１】
また、前記挟持金具４は、建枠Ａの脚柱Ａｂを挟持する略Ｕ字形状の挟持体７と、該挟持体７の一端部に回動自在に軸支した挟持片８とからなり、挟持体７の他端部にはバネ体（図示せず）を内装して下方へ付勢させた係止ピン９を出没自在に備え、該係止ピン９の先端部には傾斜面１０を形成させている一方、前記挟持片８の遊端部には前記係止ピン９が挿通可能なサイズの透孔１１を穿設している。そして、挟持体７のＵ字溝部に脚柱Ａｂを嵌め入れた状態で挟持片８を挟持位置に回動させれば、先ず挟持片８の遊端部が係止ピン９の傾斜面１０に当接し、更に挟持片８を回動させると、係止ピン９はバネ体の付勢力に抗して上方へ後退していく。そして、そこから更に係止ピン９が挟持片８の透孔１１を臨む位置まで挟持片８を回動させれば、バネ体の復元力によって係止ピン９は挟持片８の透孔１１に貫入し、挟持状態を維持できるように構成している。このように、高所作業に適した簡単な操作でありながら確実に挟持可能としていると共に、取り付け用の工具なども必要とせず、設置作業性に優れたものとしている。
【００１２】
そして、この挟持金具４を板材である支持材１２の一端部に固着する一方、支持材１２の他端部を幅木本体２の両端側面２ａの上端部に軸体１３にて回動自在に軸着しており、図４に示すように、幅木本体２の傾斜角度が変化しても挟持金具４にて建枠Ａの脚柱Ａｂを確実に挟持できるようにしている。なお、支持材１２の取り付け向きを幅木本体２の左右側で変えていて、何れか一方を上向き、他方を下向きとなるように軸着しており、図に示すように、仮設用足場に連続して幅木１を取り付けた際に、各幅木１の挟持金具４の高さ位置が上下にずれることで挟持金具４同士が干渉しないようにしている。
【００１３】
そして、前記挟持金具４を建枠Ａの脚柱Ａｂに対して挟持操作する場合には、図５乃至図７にて説明すると、先ず、挟持金具４の付いた支持材１２を脚柱Ａｂと略平行となるまで回動させ、挟持体７のＵ字溝部に脚柱Ａｂを嵌め入れる（ａ）。次に、挟持片８を挟持方向へ回動させると、挟持片８の遊端部が係止ピン９の傾斜面１０に当接して係止ピン９はバネ体の付勢力に抗して上方へ後退し、挟持片８は挟持位置まで回動可能となる（ｂ）。そして、更に挟持片８を回動させて脚柱Ａｂを挟持させた際には、係止ピン９は挟持片８の透孔１１を臨むこととなり、係止ピン９はバネ体の復元力によって透孔１１へ貫入して固定される（ｃ）。また、挟持を解除するときには、係止ピン９の上端部を手で持ち、バネ体の付勢力に抗して上方へ引っ張り上げた後、挟持片８を（ａ）の解除位置へ回動させれば固定を解除することができる。
【００１４】
しかして、上記足場用幅木１を取り付けるときには、足場板Ｂ両端の各係止クランプＢａ上に幅木１両端の各係止金具３のスリット５をそれぞれ差し込んで係止固定させる。次に、係止金具３の軸体６を支点に幅木本体２を脚柱Ａｂ側へ回動させ、幅木本体２の上端縁が脚柱Ａｂ側面と近接または当接するまで傾倒させる。続いて、挟持金具４の付いた支持材１２を回動させて挟持金具４の挟持体７のＵ字溝部を脚柱Ａｂに嵌め入れる。そして、その状態で挟持金具４の挟持片８を挟持位置まで回動させると、係止ピン９が自動的に出没動作して挟持片８の透孔１１に貫入して挟持状態を維持する。
【００１５】
このように、幅木１は、その下端部を足場板Ｂの係止クランプＢａに係止して足場板Ｂの側縁に立設するものであるので、足場板Ｂの側縁に隙間が生じることもなく、また足場板Ｂと幅木１が一体となっているので足場板Ｂが左右にずれにくく、また何かの拍子に左右にずれ動いたとしても、足場板Ｂと一体となって幅木１も動き、足場板Ｂの側縁に隙間を生ずることもなく、安全性が確保される。
【００１６】
なお、上記実施例では、挟持金具４は簡単な操作で挟持できるものを示したが、何らこの構造に限定するものではなく、建枠Ａの脚柱Ａｂを確実に挟持できるような他の挟持手段を採用することもできる。
【００１７】
【発明の効果】
以上のように本発明に係る足場用幅木によれば、幅木本体の両端側面の下端部に足場板の係止クランプに係止させる逆Ｕ字形状の係止金具を回動自在に軸着すると共に、幅木本体の両端側面の上端部に建枠の脚柱を挟持する挟持金具を取り付けたので、この幅木を足場板に取り付ければ足場板と幅木との間に隙間はなく、常に高い作業安全性を確保できる。
【図面の簡単な説明】
【図１】本発明に係る足場用幅木を仮設用足場に取り付けた状態を示す正面図である。
【図２】図１の一部省略平面図である。
【図３】図１の要部拡大図である。
【図４】図３のＸ−Ｘ線矢視、一部切り欠き断面図である。
【図５】挟持金具による建枠の脚柱への挟持手順を説明する平面図である。
【図６】図５の正面図である。
【図７】図５の側面図である。
【符号の説明】
１…足場用幅木                ２…幅木本体
３…係止金具                  ４…挟持金具
７…挟持体                    ８…挟持片
９…係止ピン                １１…透孔
１２…支持材
Ａ…建枠                    Ａａ…横架材
Ａｂ…脚柱                      Ｂ…足場板
Ｂａ…係止クランプ              Ｃ…筋交い
【図１】
2004346571.tif 000003
【図２】
2004346571.tif 000004
【図３】
2004346571.tif 000005
【図４】
2004346571.tif 000006
【図５】
2004346571.tif 000007
【図６】
2004346571.tif 000008
【図７】
2004346571.tif 000009